(57)【要約】【課題】緩衝材によって覆われた火災受信機と梱包箱の間に隙間がなくても、火災受信機の取り出しが容易な緩衝材を提供する。【解決手段】この発明は、有底箱状に形成された本体と、本体の上部に設けられた蓋部を備えた梱包箱と、一枚の段ボールを型取りし、そこに切れ目や折り目を入れて有底箱状に組み立てられた緩衝材と、緩衝材に覆われた火災受信機を梱包箱に収納する火災受信機の梱包材であって、緩衝材は、火災受信機を覆うように組み立てられた状態で、梱包箱に略内接して収納可能な形状であって、さらに、上部に取手を有する引出部が設けられることを特徴とするものである。【選択図】図１
2014069865.tif 000002
【特許請求の範囲】
【請求項１】
有底箱状に形成された本体と、該本体の上部に設けられた蓋部を備えた梱包箱と、
一枚の段ボールを型取りし、そこに切れ目や折り目を入れて有底箱状に組み立てられた緩衝材と、
該緩衝材に覆われた火災受信機を前記梱包箱に収納する火災受信機の梱包材であって、
前記緩衝材は、
前記火災受信機を覆うように組み立てられた状態で、前記梱包箱に略内接して収納可能な形状であって、さらに、上部に取手を有する引出部が設けられることを特徴とする梱包材。
【請求項２】
前記緩衝材は、幅又は長さの外径が前記梱包箱の幅又は長さのいずれか一方の内径と略同一長さからなり、
前記引出部は、前記梱包箱の幅又は長さのいずれか一方の内径と略同一長さの外径の位置にある前記緩衝材の側壁を延設して設けたことを特徴とする請求項１記載の梱包材。
【請求項３】
前記緩衝材は、前記側壁から前記緩衝材の底部に向かって突出する脚部を設けたことを特徴とする請求項１又は２記載の梱包材。
【請求項４】
前記緩衝材は、前記引出部を設けた側壁とは異なる側壁を延設して、前記火災受信機の上面を覆う蓋部を設けたことを特徴とする請求項１又は２記載の梱包材。
【発明の詳細な説明】
【技術分野】
【０００１】
この発明は、樹脂によって筐体が形成された小回線型火災受信機の梱包材に関する。
【背景技術】
【０００２】
従来の火災受信機は、主に板金によって形成されており、非常に重かったため、周囲をビニールなどで覆い、メーカーが直接設置現場へ搬入していた。
【先行技術文献】
【特許文献】
【０００３】
【特許文献１】特開２０１２−８９０３４号公報  しかしながら、最近では、筐体を樹脂によって形成することで軽量化、及びコストダウンを実現した小回線型の火災受信機が販売されている。この火災受信機は軽量であるため、製造会社が直接設置現場へ火災受信機を搬入する必要が無く、宅配業者を利用して設置現場へ輸送することが可能となった。
【０００４】
そこで、火災受信機の輸送時に傷が付いたり汚れたりするのを防止するため、出荷時に梱包箱に収納することが考えられるが、通常火災受信機の筐体は方形に形成されており、火災受信機を梱包箱に収納した際に、両者の間に隙間がなく、設置時に梱包箱から取り出す際、取り出し難いという問題が生じる。
【発明の概要】
【発明が解決しようとする課題】
【０００５】
この発明は、前記の事情に鑑み、火災受信機を梱包する梱包材について、設置時に梱包箱から取り出しやすくすることを目的とする。
【課題を解決するための手段】
【０００６】
本発明は、有底箱状に形成された本体と、本体の上部に設けられた蓋部を備えた梱包箱と、一枚の段ボールを型取りし、そこに切れ目や折り目を入れて有底箱状に組み立てられた緩衝材と、緩衝材に覆われた火災受信機を梱包箱に収納する火災受信機の梱包材であって、緩衝材は、火災受信機を覆うように組み立てられた状態で、梱包箱に略内接して収納可能な形状であって、さらに、上部に取手を有する引出部が設けられることを特徴とするものである。
【０００７】
また、本発明の緩衝材は、幅又は長さの外径が梱包箱の幅又は長さのいずれか一方の内径と略同一長さからなり、引出部は、梱包箱の幅又は長さのいずれか一方の内径と略同一長さの外径の位置にある緩衝材の側壁を延設して設けたことを特徴とするものである。
【０００８】
また、本発明の緩衝材は、側壁から緩衝材の底部に向かって突出する脚部を設けたことを特徴とするものである。
【０００９】
また、本発明の緩衝材は、引出部を設けた側壁とは異なる側壁を延設して、火災受信機の上面を覆う蓋部を設けたことを特徴とするものである。
【発明の効果】
【００１０】
この発明は、緩衝材に覆われた火災受信機を梱包箱に収納する火災受信機の梱包材であって、緩衝材に、例えば、緩衝材の側壁を延設することで、上部に取手を有する引出部を設けたので、略内接して収納された梱包箱から火災受信機を取り出す際に、取り出しやすいという効果が得られる。
【図面の簡単な説明】
【００１１】
【図１】本願発明の緩衝材の展開図である。
【図２】本願発明の緩衝材を梱包箱に収納又は取出しする際の状態図である。
【図３】本願発明の緩衝材収納状態における引出部収納状態図である。
【発明を実施するための形態】
【００１２】
先ず、この発明の緩衝材について説明する。
図１は本願発明における緩衝材１の展開図である。図中、２は底部、３ａ、３ｂは短辺側壁部、３ｃ、３ｄは長辺側壁部、４ａ、４ｂは引出部、５ａ、５ｂは蓋部であり、点線は折り目を示している。この緩衝材１は、平面視で略十字形状となり、一枚の段ボールに切れ目や折り目を入れて組み立てるようにしている。
【００１３】
底部２は、図示しない火災受信機の底面と略同一の大きさ、つまり火災受信機の底面を覆う大きさに形成されている。さらに底部２の周囲には、後述する短辺側壁部３ａ、３ｂおよび長辺側壁部３ｃ、３ｄから脚部６が延設して設けられる。
【００１４】
短辺側壁部３ａ，３ｂ及び長辺側壁部３ｃ，３ｄの高さは、火災受信機の高さと略同一に形成されており、火災受信機の周囲を覆う大きさに形成されている。
【００１５】
さらに短辺側壁部３ｃ，３ｄからは、その高さ方向へ向かって引出部４ａ，４ｂが延設されており、引出部４ａ，４ｂには、利用者が引出部４ａ，４ｂを保持するための取手７が設けられている。また、短辺側壁部３ｃ，３ｄと引出部４ａ，４ｂの境界には、後述する蓋部５ａ，５ｂに設けられた側壁勘合凸部８が勘合する位置に、側壁勘合凹部９が設けられている。
【００１６】
長辺側壁部３ｃ，３ｄは、その高さ方向へ向かって蓋部５ａ，５ｂが設けられており、火災受信機の上面を覆う大きさに形成されている。
【００１７】
さらに蓋部５ａには、台形状に形成された蓋部勘合凸部１０ａが、また、蓋部５ｂには蓋部勘合凸部１０ａと同じ大きさの台形状に形成された蓋部勘合凹部１０ｂが、それぞれ対向する位置に設けられており、緩衝材１を折り曲げることによって互いに勘合し、火災受信機を覆った状態で保持できるものとなっている。
【００１８】
また、蓋部５ａ，５ｂの側辺には、側壁勘合凸部８が設けられており、緩衝材１を折り曲げることによって、短辺側壁部３ｃ，３ｄに設けられた側壁勘合凹部９と互いに勘合し、火災受信機を覆った状態で、蓋部５ａ，５ｂと短辺側壁部３ｃ，３ｄを保持できるものとなっている。
【００１９】
脚部６は、短辺側壁部３ａ、３ｂおよび長辺側壁部３ｃ、３ｄから底部２側に延設して設けられ、各側壁部を折り曲げることによって、底部２より下方に突出するものである。これにより、後述する梱包箱１１に緩衝材１を収納した際、梱包箱１１と緩衝材１の間に隙間を形成し、この隙間によって火災受信機に直接外力が掛かることを防止する。
【００２０】
次に、図２及び図３を用いて、本願発明の緩衝材１を梱包箱１１に収納する際の動作について説明する。なお、図２は本願発明の緩衝材１を梱包箱１１に収納又は取出しする際の状態を、図３は本願発明の緩衝材１を梱包箱１１に収納し、さらに引出部４ａ，４ｂを収納した状態をそれぞれ表している。
【００２１】
はじめに利用者は、一枚の段ボールを平面視で略十字形状にし、所定の箇所に切れ目や折り目を入れて組み立てるようにした緩衝材１の底部２の上に図示しない火災受信機を載せる。次に長辺側壁部３ｃ、３ｄを折り曲げて立ち上げることで火災受信機の長辺側面を覆ったのち、さらに蓋部５ａ、５ｂを折り曲げて火災受信機の表面を覆い、蓋部勘合凸部１０ａと蓋部勘合凹部１０ｂを勘合することで、蓋部５ａ、５ｂを覆った状態で保持できるものとなっている。
【００２２】
その後、短辺側壁部３ａ、３ｂを折り曲げて立ち上げることで、火災受信機の短辺側面を覆ったのち、蓋部５ａ、５ｂに設けられた側壁勘合凸部８を短辺側壁部３ａ、３ｂに設けられた側壁勘合凹部９に勘合することで、蓋部５ａ、５ｂを火災受信機表面に密着させた状態で保持できるものとなっている。
【００２３】
また、梱包箱１１は、図示しない火災受信機を覆った緩衝材１の短辺と略同一長さの短辺からなっている。より詳しく述べると、緩衝材１の幅又は長さの外径が、梱包箱１１の幅又は長さのいずれか一方の内径と略同一長からなり、緩衝材１が梱包箱１１に内接して収納可能な形状に形成されている。
【００２４】
利用者は、火災受信機を梱包箱１１に収納する場合、緩衝材１の短辺側壁部３ａ，３ｂから延設された引出部４ａ，４ｂを立設し、引出部４ａ，４ｂに設けられた取手７に手を通すことで、火災受信機を覆った状態で緩衝材１を保持できるので、容易に梱包箱１１に収納することができる。
【００２５】
その後利用者は、引出部４ａ，４ｂを蓋部５ａ，５ｂ側に向けて折り曲げることによって、引出部４ａ，４ｂを梱包箱１１の内部に収納し、さらに、梱包箱１１の空いた空間（梱包箱１１の長辺と緩衝材１の長辺との差により生じる空間）に、火災受信機の設置に用いる部品等を梱包する部品箱１２を収納して梱包箱１１の蓋を閉じることで、緩衝材１に覆われた火災受信機を梱包箱１１内に略内接状態で収納できるものとなっている。
【００２６】
梱包箱１１に収納した状態では、緩衝材１の脚部６が梱包箱１１の底部に当接し、梱包箱１１と緩衝材１の間に隙間を設けるので、搬送中に外部から衝撃が加わっても、隙間によって衝撃を吸収できるので、火災受信機を保護できるものとなっている。
【００２７】
次に、火災受信機の利用者は、梱包箱１１の蓋を開け、引出部４ａ，４ｂを立設することで取手７が梱包箱１１の上部に露出し、利用者が取手７に手を通すことで、火災受信機を覆った状態で緩衝材１を取り出すことができる。
【００２８】
なお、本願発明の引出部４ａ，４ｂは、蓋部５ａ，５ｂと入れ替えても良い。
【００２９】
また、上記説明では、緩衝材１と部品箱１２とを収納することによって、緩衝材１が梱包箱１１内に略内接状態で収納されるものとして説明したが、その他の箱と組み合わせて、または、単体で、緩衝材１が梱包箱１１内に略内接状態で収納されてもよく、いずれの場合も本発明に含まれる。
【００３０】
以上、説明したとおり、本発明に利用される梱包材は、有底箱状に形成された本体と、本体の上部に設けられた蓋部を備えた梱包箱１１と、一枚の段ボールを型取りし、そこに切れ目や折り目を入れて有底箱状に組み立てられた緩衝材１と、緩衝材１に覆われた火災受信機を梱包箱１１に収納する火災受信機の梱包材であって、緩衝材１は、火災受信機を覆うように組み立てられた状態で、梱包箱１１に略内接して収納可能な形状であって、さらに、上部に取手を有する引出部４ａ、４ｂが設けられるので、緩衝材１と梱包箱１１が内接していても火災受信機が取り出しやすいという効果がある。
【００３１】
また、緩衝材１は、幅又は長さの外径が梱包箱１１の幅又は長さのいずれか一方の内径と略同一長さからなり、引出部４ａ、４ｂは、梱包箱１１の幅又は長さのいずれか一方の内径と略同一長さの外径の位置にある緩衝材１の側壁３ａ、３ｂ、３ｃ、３ｄを延設して設けたので、緩衝材１の幅又は長さのいずれか一方が梱包箱１１に内接している場合でも火災受信機が取り出しやすいという効果がある。
【００３２】
また、緩衝材１は、側壁３ａ、３ｂ、３ｃ、３ｄから緩衝材１の底部２に向かって突出する脚部を設けたので、搬送中に梱包箱１１の底面から外力が加わっても、直接火災受信機に外力が加わらず、安全に搬送できるという効果がある。
【００３３】
また、緩衝材１は、引出部４ａ、４ｂを設けた側壁３ａ、３ｂ、３ｃ、３ｄとは異なる側壁３ａ、３ｂ、３ｃ、３ｄを延設して、火災受信機の上面を覆う蓋部を設けたので、火災受信機表面を確実に保護することができるという効果がある。
【符号の説明】
【００３４】
１  緩衝材、２  底部、３ａ，３ｂ  短辺側壁部、３ｃ，３ｄ  長辺側壁部、４ａ，４ｂ  引出部、５ａ，５ｂ  蓋部、６  脚部、７  取手、８  側壁勘合凸部、９  側壁勘合凹部、１０ａ  蓋部勘合凸部、１０ｂ  蓋部勘合凹部、１１  梱包箱、１２  部品箱。
【図１】
2014069865.tif 000003
【図２】
2014069865.tif 000004
【図３】
2014069865.tif 000005